(57)【要約】【課題】通常の条件では堆肥化しにくい樹木処理発生物を主原料として、とくに樹木栽培に適した堆肥の製造を効率的に行う。【解決手段】樹木処理時の発生物を、破砕などによって比表面積を大きくして乾燥によって外部からの水分が浸入しやすくし、後続の処理で菌類が内部に浸入しやすくする第１プロセス、木質組織の安定構造維持に役立っているミクロ的緻密組織の変質を行う第２プロセス、および堆肥化処理の菌を加えて発酵を行う第３プロセスの組み合わせからなる処理を行う。【選択図】  なし【特許請求の範囲】
【請求項１】
樹木処理時の発生物を、破砕などによって比表面積を大きくして乾燥によって外部からの水分が浸入しやすくし、後続の処理で菌類が内部に浸入しやすくする第１プロセス、木質組織の安定構造維持に役立っているミクロ的緻密組織の変質を主目的とする第２プロセス、および堆肥化処理の菌を加え発酵を行う第３プロセスの組み合わせからなることを特徴とする樹木処理時の発生物を主原料とする堆肥の効率的な製造方法。
【請求項２】
上記第２プロセスで加える菌類は木質腐朽菌であり、また第３プロセスで加える菌類は酵母菌を含むものであることを特徴とする請求項１に記載の樹木処理時の発生物を主原料とする堆肥の効率的な製造方法
【請求項３】
樹木起因の廃棄物に着火して１部を炭化、灰化して脆くてから再度、破砕機にかけ、第２プロセスあるいは第３プロセスで装入物の１部として加えることを特徴とする請求項１又は請求項２に記載の樹木処理時の発生物を主原料とする堆肥の効率的な製造方法。
【請求項４】
上記第１プロセス及び／又は第３プロセスにおいて、堆積層の中の酸素濃度と温度を調整するために、太陽熱による熱水製造の装置を併設し、生成した熱水の中をパイプを介して空気を通して加熱し、大気から直接吸引した空気との混合比率を調整することによって温度を調整して、その混合空気を原料の堆積層に吹き込むことを特徴とする請求項１乃至請求項３のいずれかに記載の樹木処理時の発生物を主原料とする堆肥の効率的な製造方法
【請求項５】
上記第２プロセス及び／又は第３プロセスにおいて、水分濃度と温度を調整するために、太陽熱で得た熱水と通常水を混合したものを堆積層に供給することを特徴とする請求項１乃至請求項４のいずれかに記載の樹木処理時の発生物を主原料とする堆肥の効率的な製造方法
【請求項６】
雑草類を副原料として用いて、第２プロセスの処理時に含まれている種子などを失活させることを特徴とする請求項１乃至請求項５のいずれかに記載の樹木処理時の発生物を主原料とする堆肥の効率的な製造方法。
【発明の詳細な説明】
【技術分野】
【０００１】
本発明は、樹木の剪定、伐採、抜根、加工などの各種の処理時の発生物を主原料として、樹木栽培用などに用いる堆肥を、効率的に製造するための方法に関する。
【背景技術】
【０００２】
植物栽培のために重要なものの１つが土壌である。土壌は、植物に対して、水分の供給、肥料分の供給、植物と共生する微生物などが活動する場の提供などの役割をする。ある一定以上の肥料効果を持つ土壌への添加剤が肥料と呼ばれ、一方、肥料効果はその条件を必ずしも満足しないが、植物栽培に効果のあるものが堆肥、腐植土、土壌改良材などの名称で呼ばれている。本発明では、後者の、土壌の条件を整えるのに用いられるものを総称して堆肥と呼ぶことにする。植物栽培のために土壌に要求される成分としては、肥料の３要素としてのチッソ、リン酸、カリ、２次要素としてのマグネシウム、カルシウム、イオウ、さらには微量必要元素としてのマンガン、ホウ素、鉄、銅、亜鉛、モリブデン、塩素などがある。これらは必要以上存在していればいいというのではなく、それぞれ適正量が、あるバランスをもって存在していることが求められる。また必要な供給成分の量は、栽培する植物の種類とその成長時期によっても異なることがある。従来の肥料の中心をなしてきた化学肥料は、栽培物が必要とする元素を供給するという意味では的確な効果を有するが、肥料に随伴している酸性成分などが土壌に残存することにより土壌酸性化などの副次作用を及ぼす引き起こすことがある。したがって、長期的な視点から見れば、できるだけその使用量を減らしてゆくことが望まれている。
【０００３】
一方、畜産廃棄物、農業廃棄物、食堂残渣、食品加工業残渣、庭園管理、林業、製材廃棄物、樹皮などの各種の有機物類を原料として、発酵させて成分条件などを調整したものが堆肥である。適正な条件で作られた堆肥は、肥料成分を含むものとして、また土壌の物理特性などを改善するものとして有効である。例えば、農耕に適した土壌を作るためには、１０ａあたり１０００〜１４００ｋｇの有機物を堆肥として用いるのが望ましいとされている。しかし、堆肥は、原料の種類や処理条件が不適切な場合には、次のような問題を起こすと言われている。
（１）原料中の有機物の分解が不十分であった場合；堆肥は使用状態で分解してゆき、その時、酸素を消費する。この分解速度が大きすぎる場合、土壌中の酸素欠乏を引き起こし、植物に害を与える。したがって、施用する有機物は十分に分解されていなければならない。
（２）堆肥を施す植物によって、適正な炭素と窒素の比、すなわちＣ／Ｎ比が存在する。たとえば農作物の場合はＣ／Ｎ比：３５以下が望ましいが、一方、樹木の場合には、Ｃ／Ｎ比がもっと高いこと（たとえば約７０）が適しているといわれている。
（３）堆肥化の原料に含まれていた細菌、害虫、雑草種子などの有害物が、堆
肥化の過程で十分に安定化がされていないと、堆肥としての使用時にそれに起因する悪影響が生じることがある。
【０００４】
各種の原料を用いて堆肥化する場合に、このような問題に対応するための方法として次のようなことが提示されている。特許文献１には、バーク堆肥の製造効率を上げるために、樹皮に浄水ケーキを混合する工程を含む方法が示されている。特許文献２には、樹皮の堆肥化を促進させるために、発酵過程の後期にあたる発酵温度が５０℃以下に保たれる段階で、セミロース、ヘミセルロース又はリグニンを分解する酵素を産生する菌を接種する方法が示されている。特許文献３には、家畜排泄物と木質廃棄物を用いて堆肥を製造するに際して、製造工程のいずれかの時期において木炭を添加混合する方法が示されている。特許文献４には、樹木の枝葉を短期間で完熟状態に堆肥化できる方法として、枝葉材に刈芝または雑草、米ぬか、発酵菌および水分を添加して混合撹拌した後、かに殻を添加してから発酵工程に移る方法が示されている。特許文献５には、有機性廃棄物に火山灰、軽石粉末、酸化アルミニウム、酸化鉄、カオリナイトおよび酸性白土からなる群から選ばれる１種または２種以上の無機触媒を添加して加熱乾燥処理した後、１５０〜２００℃で８〜４０時間保持するという熱処理を行って有機質肥料を製造する方法が示されている。特許文献６には、有害微生物や雑草の種子が失活した堆肥を製造するために、木質材料を添加し、その量を変えることにより発酵温度を制御する方法が示されている。特許文献７には、雑草を発酵処理して有機肥料用材料を取得し、かつその肥料用材料を使用して植物を栽培した時に雑草などの有害種子の発芽しない優れた堆肥とするために、雑草類を細断処理し、次いでこの細断された雑草類に混入している有害種子が発芽不能となる高温度まで加熱処理した後、これに発酵処理を施して堆肥とする方法が示されている。刈草を含む被発酵材料を、パチルス属に属する１種以上の微生物を主体とする発酵微生物を用いた生物分解、次いで二次発酵工程でさらに発酵熟成させることで刈草堆肥を得る方法が示されている。特許文献８には、光照射を特徴とする生ごみの処理装置及び堆肥化装置として、（１）生ごみ処理機、堆肥化装置の上板、前板、横板、後板等の全体またはそれらの一部を、合成樹脂材料又はガラス等の光透過部材を用いて、処理室内への自然光透過量を高めること、（２）太陽光線を集める（太陽自動追尾式）反射鏡を設置すること、（３）紫色ＬＥＤ，ブラックライト、蛍光灯等の光照射装置を、処理室内に設置すること、（４）培養材が接触する処理室内面に二酸化チタン等の光触媒をコ―テイングすることを特徴する装置システムが示されている。特許文献９には、太陽熱利用の生ごみ処理器として、外周壁を透明状に形成し，内壁面を不透明に形成すること、内壁面の空気層に臨む外面に、外部から入射する太陽光の熱エネルギーで変色し設定温度に至ると反射色になる膜を施すこと、蓋の上面に、容器本体内に空気を入れ換えるための換気部を設けることを特徴とする方法が示されている。
【先行技術文献】
【特許文献】
【０００５】
【特許文献１】特開平９−２３３９４３号公報
【特許文献２】特開平１０−２６５２８７号公報
【特許文献３】特開平７−８２０６９号公報
【特許文献４】特開２００４−３０５１８６号公報
【特許文献５】特開２００４−１６８６１４号公報
【特許文献６】特開平１１−２４０７８４号公報
【特許文献７】特開２００４−１８９５１６号公報
【特許文献８】特開２００３−３３５５９１号公報
【特許文献９】特開２０１５−３８６号公報
【発明の概要】
【０００６】
本発明は、有機物系廃棄物のうち、とくに堆肥化がむつかしい樹木処理時の発生物を主原料として、とくに樹木栽培用に適した堆肥を製造するための方法に関する。
【発明が解決しようとする課題】
【０００７】
樹木について理想的な成分の循環は、樹木の葉や枝などが地上に落ちて、自然界の微生物などの働きで分解され、再び樹木に吸収されて循環利用されることである。しかし、栽培型の樹木（果樹、茶の木、公園・庭園樹、街路樹など）では、自己が発生した物（枝、葉、樹皮など）が自然に循環する形では、必要成分を十分に供給できない状態にある場合が多い。一方、不足分を化学肥料などで補うことは、中長期的視点からは問題を伴うことがある。また、堆肥類であっても、堆肥原料が樹木以外のものであれば、Ｃ／Ｎ比が低過ぎるなどの点から樹木栽培用には必ずしも適合していない場合もある。一方、樹木起因の廃棄物としては、落葉、剪定枝、倒木、樹皮、加工屑などがあるが、これらを原料として堆肥することは、一般には堆肥化速度が小さく効率的でないことが多い。
本発明は、原料としては未利用物が多い樹木関連の発生物を用い、効率的に堆肥化を促進し、とくに栽培樹木用に用いるのに適した堆肥を製造するための方法に関する。
【課題を解決するための手段】
【０００８】
本発明で主原料として用いられるのは、樹木起因の廃棄物、すなわち樹木の剪定時などに発生する枝、葉や、樹木伐採物、抜根、加工時に発生する残材、樹皮などである。これらは、利用されるとしても通常は燃焼によってエネルギーに変換されることが多いが、本発明では、これを効率的に堆肥化処理して、特に果樹、茶の木、庭園樹公園樹、街路樹のなどの栽培型樹木に効率的に用いることができるようにする。
樹木は自己の成長に必要なものを土壌などから得て、生育する機能を有している。それに対して、樹木処理時に発生したものを堆肥化するということは、それが含む有用物を放出しやすくし、別の樹木などが吸収しやすい形に変えることである。すなわち、樹木の堆肥化を促進するということは、本来、樹木が持つ自己防衛機能を効率的に低減して、他の樹木にとって有効な物質の放出をしやすくすることである。そのためには、（１）破砕などによって比表面積を大きくする、（２）乾燥によって、外部からの水が浸入しやすくし、それとともに分解の機能をもつ菌類が内部に浸入しやすくする、（３）木質組織の安定構造維持に役立っている骨、筋に相当する部分の破壊を促進するなどの方策を講ずる、（４）そして含まれている有機物質の堆肥化を促進する菌を加えて効率的に堆肥化を行うことなどが求められる。すなわち、樹木が生きている時、あるいは樹木が構造用木質材料として用いられる場合とは異なった状況を作ることが求められる。本発明で以下に示す３つのプロセスの組み合わせによってこれを可能にする。
【０００９】
本発明では、まず、その第１プロセスとして、原料として持ち込まれた樹木起因の廃棄物、すなわち、樹木の剪定時に発生する枝、葉、樹木伐採や加工時に発生する残材、樹皮などを、必要により破砕して比表面積を大きくする。例えば厚さは３ｍｍ以下に、また、長さは３０ｍｍを超えないようにすることが望ましい。このサイジングされたものを３０日〜１１０日、大気下に放置する。これによって第２、第３プロセスにおいて、外部から供給される水分とともに菌類が木質内部に侵入しやすい状況を作る。なお、４ヶ月以上、放置すると堆肥化とは別の腐敗が進行して、肥料効果が低化するおそれがあるので好ましくない。
【００１０】
なお、本発明で処理の対象とする樹木起因の廃棄物の１部で、簡単に破砕しにくいものなどは、加熱（たとえば不完全な燃焼）を行って、１部を炭化、灰化して脆くて破砕を容易に行えるようにしてから破砕し、本発明の第２プロセス、あるいは第３プロセスで装入物の１部として加える。これによって、堆肥化に関連する菌類の活動を活発化することで堆肥化に要する時間を短縮でき、また、灰分は得られた堆肥の肥料効果を高めることに役立つ。
【００１１】
なお、本発明では主原料ではないが、原料の１部として用いられることができるものとして雑草類がある。これは、樹木の手入れ時に副次的も集められたものや、それとは別に集められたものであるが、これらは収集後、必要があれば細断して本発明の第１プロセスで堆積・放置する。そして、他の原料とともに、第２プロセスの処理にかけられる。なお、本発明の堆肥製造において、種子を伴うおそれがある雑草類も原料として問題なく用いることができるのは、後述の第２プロセスの処理温度が、通常の堆肥化温度（６０℃以下）より高いことにより、雑草類が種子を伴う場合にもその失活を進め、使用時の悪影響を抑えることができるからである。
【００１２】
次に第２プロセスでは、第１プロセスの処理を行った原料に対して、樹木の強度保持に関連しているミクロ的緻密組織の変質を主目的とする処理が行われる。これは成分としてはリグニン、セルロース、ヘミセルロースなどを含む部分で、本発明においては第３プロセスで堆肥化菌類が組織内に浸入することの妨げになるものである。そこで、まず、このミクロ的緻密組織構造を破壊して、以後に堆肥化が促進されるようにする。このために用いられる菌の１つは、樹木を木質材料として使用する時に木を腐らせる作用をする白色腐朽菌類である。白色腐朽菌のほかに、一般に木材腐朽菌と呼ばれている各種菌類（褐色腐朽菌、軟腐朽菌など）も単独、あるいは混合して用いることもできるが、とくに白色腐朽菌を用いると、処理物層の温度を６０℃以上にあげることが可能になり、所要時間の短縮、および装入物が雑草のように種子を伴っているおそれがある場合に、それを不活性化できるという効果がある。この第２プロセスの処理を行う装置は、たとえば周囲をコンクリート壁で囲こみ、また屋根部を設けたものである。そこに第１プロセスの処理を行った原料を装入し、上記の機能を有する菌類を含むものを加えて混合・保持し、層内での菌類による反応を行わせる。この過程で白色腐朽菌などの木材腐朽菌を繁殖、活動を活発化させて、第２プロセスの処理を効率的に進めるためには、雰囲気の温度、湿度、処理物の含水率、温度および雰囲気の酸素分圧などを調整する。層内雰囲気の酸素分圧は０．３気圧以下に下がらないように槽内に空気の吹込みを行う。白色腐朽菌を用いる場合には吹き込む空気の温度を３０〜４５℃の範囲内、褐色腐朽菌、軟腐朽菌を用いた場合は２５〜３５℃の範囲内が望ましい。この空気の吹込みと温度調整を、年間を通して経済的に行う方法の１つは、太陽熱による熱水製造の装置を併設し、生成した熱水の中をパイプを介して空気を通して加熱し、大気から直接吸引した空気との混合比率を調整することによって温度を調整して、その混合空気を原料の堆積層の下部から吹き込むことである。また、湿度は８５％以上、固体原料の含水率は２０％以上にすることが望ましいが、その調整方法としては、装入物の上方から、普通の水と先に示した太陽熱で得た熱水を混合して温度を調整したものをシャワーリングする。この第２プロセスは、３〜５週間かけて行うが、その間に、２〜７日に１回程度の頻度で、装入物の切り返しを行う。そして、木質部や樹皮部がもろくなったことを確認してこの段階の処理を終了する。処理を終わったものは機械的に切り出され、第３プロセスに送られる。なお、この際、表層部や最下層部など、十分な脆化が進んでいないと判断された部分などは槽内に残し、それに次の処理原料を装入して、処理を繰り返すことが望ましい。
【００１３】
上記の第２プロセスの処理を終わったものは、第３プロセスの処理、すなわち堆肥として使用可能な状態にまで発酵処理を行う場所に移送される。そこでは、まず、処理物の層に堆肥化を進める菌類を含むものの添加、混合が行われる。堆肥化を促進するために添加する菌類としては種々のものを用いることができるが、本発明が対象とする樹木処理時の発生物を主原料とする場合には、通常の軟質の堆肥化原料を用いる場合に比べて堆肥化が進みにくい硬質のものであるので、堆肥化所要時間を短縮して効率を上げるために高温処理で発酵を行える菌を選択して用いる。そのような条件を満足する菌の１つとして酵母菌がある。  酵母菌は、栄養体が単細胞性を示す真菌類の総称である。光合成能はなく、栄養は外部の有機物を分解吸収することによって得る。そして出芽または分裂によって増える。この菌類の１つでパン作りに適した酵母は、パン酵母と呼ばれるが、本発明では、例えばこのパン酵母、あるいはパン酵母製造副生物を用いることができる。このような菌類が増殖した液体である酵母液を、処理対象物に加えて撹拌した後、高さ５０〜８０ｃｍの層に盛り上げて、堆積して放置し、約５〜１０日に１回程度、切り返しを行い、２〜４ケ月程度保持して堆肥化を進める。堆肥化菌を混合した処理物は、堆肥化を順調に進めるためには、水分含有量の調整が重要である。水分含有量の調整は、堆肥化層の上部への散水によって、層の平均（具体的には、堆肥化層の上面から８ｃｍの位置）を１５〜４５％の範囲に調整する。この必要水分の添加と、層内の温度を年間を通して適正な温度（約６５℃）は保つことを可能にするためには、太陽熱による熱水製造の装置を併設し、製造した熱水と、通常の水を混合して用いる。また、生成した熱水の中をパイプを介して空気を通して加熱し、大気から直接吸引した空気との混合比率を調整することによって温度を調整して、その混合空気を原料の堆積層の下部から吹き込むことによって、年間を通して、堆肥化進行時の温度を調整する。２ケ月以上経って、かつ層内の温度が４０℃以下になったら、堆肥化処理を終了する。そして、篩目５〜２０ｍｍのものを用いて篩分けを行い、篩下は保管場所あるいは堆肥としての使用場所に移される。また、篩上の部分は、破砕し、第３プロセスの装入原料に加えて再度処理される。
【００１４】
本発明の方法で製造された堆肥は、主として樹木栽培に用いられることを想定している。堆肥に含まれる窒素分は、葉の部分が多い野菜などの農作物栽培用には、例えばＣ／Ｎとして３０前後が望ましいとされているのに対し、樹木栽培用には、葉の成長促進効果のあるチッソ分は多すぎないことが望ましい（例：Ｃ／Ｎ；７０以上）。したがって、本発明に得られた堆肥が適している。ただし、樹木の場合でも茶の木の場合には葉の成長が重要であるので、Ｃ／Ｎが５０以下が望まれる。その場合には、本発明で得られた堆肥と、通常の堆肥を、たとえば２；１の割合で配合して用いるか、あるいは、本発明の第３プロセスで、堆肥化処理の原料として、樹木処理起因のものに２０％程度、食品廃棄物系の原料などを加えて窒素含有量を調整する。
【発明の効果】
【００１５】
本発明で得られた堆肥を施した樹木は、適正な成長速度が得られるとともに、通常の堆肥を用いた場合に比べて害虫などの被害を受けにくいという効果が見られる。これは、また、化学肥料を使用した場合、あるいは堆肥の場合でもＣ／Ｎ比が低すぎないため土中において各種の微生物のバランスがとれているためである。
【発明を実施するための形態】
【実施例１】
【００１６】
造園業における樹木処理時の発生物を、年間を通して次のように処理して堆肥を製造し、それを樹木育成用に利用している。
【００１７】
（第１プロセス）
樹木処理時の発生物、すなわち、剪定された樹木の枝葉（重量比率：平均７５％で、伐採木（重量比率：平均１５％）、抜根（重量比率；平均３％）、その他（重量比率：平均７％）が処理場に運び込まれる。それらを破砕して、厚さ３ｍｍ以下、長さ３０ｍｍ以下にして、地面上に堆積して３０〜１００日間放置しておく。
【００１８】
（第２プロセス）
第１プロセスの処理を終わったものを、周囲をコンクリート壁、上部を屋根で蔽われ槽に装入し、それに白色腐朽菌を含む液体を降りかけて混合する。堆積層の下部から空気を供給するが、その空気は、装置に敷設された太陽熱温水器によって得られた温水と熱交換して年間を通して３０〜４５℃に調整する。また、太陽熱温水器によって得られた温水と通常の水道水を混合して、水温を３５〜４５℃の範囲に調整したものを、天候状況などを見て、層の上からシャワーリングして、堆積層内の湿度は８５％以上、固体原料の含水率は２０％以上に調整する。第２プロセス処理中の最高加熱温度が６０〜６５℃にする。第２プロセスの処理期間は３〜５週間で、その間、装入物の切り返しを２〜７日に１回程度の頻度で行う。層内からサンプルを取り出し、手で軽く折り曲げて十分にもろくなって粉化されることを確認できれば、第２プロセスの処理を終了して、第３プロセスに送る。
【００１９】
（第３プロセス）
第３プロセスの処理を行う場所に移送された処理対象物には、パン酵母を含む菌体の酵母液を添加・混合してから、高さ５０〜８０ｃｍの層に盛り上げて、堆積して放置し、約６〜７日に１回程度、切り返しを行い、７０〜９０日保持して堆肥化を進める。水分含有量の調整は、堆肥化層の上部への散水によって、堆肥化層の上面から８ｃｍの位置で２０〜３５％の範囲に調整する。太陽熱による熱水製造の装置を併設し、製造した熱水と、通常の水を混合して用いる。また、生成した熱水の中をパイプを介して空気を通して加熱し、大気から直接吸引した空気との混合比率を調整することによって温度を調整して、その混合空気を原料の堆積層の下部から吹き込むことによって、年間を通して堆肥化進行時の温度を調整する。層内の温度は発酵最盛期には約６５℃とする。２ケ月以上経って、かつ層内の温度が４０℃以下になったら、堆肥化処理を終了し、篩目７ｍｍのものを用いて篩分けを行い、篩下は保管場所に移される。また、篩上の部分は、破砕されて、第３プロセスの装入原料に加えて再度処理される。
【実施例２】
【００２０】
実施例１の条件のうち、第２プロセスで用いる菌として、白色腐朽菌と褐色腐朽菌を、２：１の割合で混合したものを用いたこと、また、第２工程の最高加熱温度を５２℃にしたことだけが異なる条件の処理を行った。第２プロセスの必要処理期間が約２０％増加したが、得られた堆肥の特性には、実施例１の場合と有意差が認められなかった。
【実施例３】
【００２１】
実施例１の条件に、雑草を５〜９月に刈り取り、細断したものを置場で３５日間、放置したものを、第２プロセスの原料として重量で２４％配合し、他の条件は変えることなく処理を行った。得られた堆肥を用いても、雑草の種子による発芽などは認められなかった。
【実施例４】
【００２２】
樹木処理作業での発生物のうち、直径が１５０ｍｍ以上の幹部、抜根、樹皮部を重量比で３：１：１の割合で混合して着火し、３０％を灰化、２０％を炭化したものを粉砕し、その混合物を、実施例１での第２プロセスの装入原料のうち、重量で５％加えた。この処理を行うことによって実施例１で述べた場合よりも、第２プロセスの必要処理時間は平均１２％、第３プロセスの処理時間は平均１８％短縮することができた。
【実施例５】
【００２３】
茶の木栽培用に次の３種の堆肥を用いて、茶の葉の採取量の比較を行った。
実施例１で述べた方法で製造された堆肥を施した場合、害虫発生などの問題がなく栽培を行うことができた。この場合に採取された茶の葉の量を、１．０とする。
（２）実施例１で述べた方法で得られた堆肥と、従来型の方法で得られた堆肥を、２：１の割合で混合して使用した場合、１部、害虫発生が見られ、殺虫剤の噴霧を１回行ったができ、採取された茶の葉の量は、１．３であった。
（３）実施例１で述べた方法のうち、第３プロセスで原料として、３０％は食品廃棄物を加えたことだけが異なる処理を行って得られた堆肥を用いた場合、害虫発生などの問題がなく栽培を行うことができ、採取された茶の葉の量は、１．２であった。
【産業上の利用可能性】
【００２４】
本発明は、従来法では堆肥化を効率的に進めることができなかった各種の有機物系廃棄物を安定かつ効率的に有効利用することを可能にする。